(57)【要約】【課題】  タイマを必要とせずに、外部からのタイミング信号に同期して所定量単位で音声データを送信する。【解決手段】  マイコン３６は、外部タイミング信号に応じて、音声メモリ２２の記憶データ量がアンダーフローに対応する第１の閾値より小さいか、オーバーフローに対応する第２の閾値より大きいか、第１の閾値と第２の閾値の間にあるかを判定し、また、実質的な無音部分か否かを判定する。音声メモリ２２の記憶データが第１の閾値より少なく、且つ、無音である場合に、マイコン３６は、音声メモリ２２から当該所定量より少ない音声データを読み出し、所定量に不足するデータを補充して、ＵＳＢ３４に供給する。音声メモリ２２の記憶データが第２の閾値より多く、且つ無音である場合に、音声メモリ２２から所定量より多い音声データを読み出し、その内の当該所定量の音声データをＵＳＢ３４に供給する。【選択図】  図１
2006190130.tif 000002
【特許請求の範囲】
【請求項１】
外部タイミング信号に応じて、所定量単位で入力音声を送信する音声送信方法であって、
音声入力手段（１８，２０）による入力音声データを音声メモリ（２２）に一時記憶する音声記憶ステップと、
当該外部タイミング信号に応じて、当該音声メモリに記憶される音声データ量を監視し、当該音声データ量が、当該音声メモリのアンダーフローに対応する第１の閾値（ＴｈＬ）より小さいか、当該音声メモリのオーバーフローに対応する第２の閾値（ＴｈＨ）より大きいか、第１の閾値と第２の閾値の間にあるかを判定するデータ量判定ステップ（Ｓ３，Ｓ８）と、
当該外部タイミング信号に応じて、当該音声メモリに記憶される音声データの音量を検出し、実質的な無音部分か否かを判定する音量判定ステップ（Ｓ５，Ｓ１０）と、
当該音声メモリの記憶データが当該第１の閾値（ＴｈＬ）より少なく（Ｓ３）、且つ、当該音声メモリに記憶される音声データが無音である第１の場合に（Ｓ５）、当該音声メモリから当該所定量より少ない音声データを読み出し、当該所定量に不足するデータを補充して、送信装置（３４）に供給するステップ（Ｓ６）と、
当該音声メモリの記憶データが当該第２の閾値（ＴｈＨ）より多く（Ｓ８）、且つ、当該音声メモリに記憶される音声データが無音である第２の場合に（Ｓ１０）、当該音声メモリから当該所定量より多い音声データを読み出し、その内の当該所定量の音声データを送信装置（３４）に供給するステップ（Ｓ１１）と、
当該第１及び第２の場合を除く場合に、当該音声メモリから当該所定量より多い音声データを読み出し、その内の当該所定量の音声データを送信装置（３４）に供給するステップ（Ｓ１１）と、
当該送信装置が、当該所定量単位で音声データを外部に送信するステップ
とを具備することを特徴とする音声送信方法。
【請求項２】
当該送信装置がＵＳＢデバイスであることを特徴とする請求項１に記載の音声送信方法．
【請求項３】
音声入力手段（１８，２０）と、
当該音声入力手段により入力された音声データを一時記憶する音声メモリ（２２）と、
当該音声メモリに記憶される音声データ量を監視し、当該音声データ量が、当該音声メモリのアンダーフローに対応する第１の閾値（ＴｈＬ）より小さいか、当該音声メモリのオーバーフローに対応する第２の閾値（ＴｈＨ）より大きいか、第１の閾値と第２の閾値の間にあるかを判定するデータ量判定装置（３６）と、
当該音声メモリに記憶される音声データの音量を検出し、実質的な無音部分か否かを判定する音量判定装置（３６）と、
外部タイミング信号、当該データ量判定装置の判定結果及び当該音量判定装置の判定結果に従い、当該音声メモリからの当該音声データの読み出しを制御する制御装置（３６）と、
当該音声メモリから読み出された当該音声データを、所定量を単位に外部に送信する送信装置（３４）
とを具備する音声送信装置であって、
当該制御装置が、
当該音声メモリの記憶データが当該第１の閾値（ＴｈＬ）より少なく（Ｓ３）、且つ、当該音声メモリに記憶される音声データが無音である場合に（Ｓ５）、当該音声メモリから当該所定量より少ない音声データを読み出し、当該所定量に不足するデータを補充して、当該送信装置（３４）に供給し（Ｓ６）、
当該音声メモリの記憶データが当該第２の閾値（ＴｈＨ）より多く（Ｓ８）、且つ、当該音声メモリに記憶される音声データが無音である場合に（Ｓ１０）、当該音声メモリから当該所定量より多い音声データを読み出し、その内の当該所定量の音声データを当該送信装置（３４）に供給する（Ｓ１１）
ことを特徴とする音声送信装置。
【請求項４】
当該送信装置がＵＳＢデバイスであることを特徴とする請求項１に記載の音声送信装置．
【発明の詳細な説明】
【技術分野】
【０００１】
本発明は、音声送信方法及び装置に関し、特に伝送路を介して音声データを送信する音声送信方法及び装置に関する。
【背景技術】
【０００２】
従来、図５のように、デジタルビデオカメラ（以下、ＤＶＣと略す）をＵＳＢ（Ｕｎｉｖｅｒｓａｌ  Ｓｅｒｉａｌ  Ｂｕｓ：ユニバーサル・シリアル・バス）ケーブルを介してパーソナルコンピュータ（以下、パソコンと略す）に接続し、ＤＶＣからパソコンに音声データをストリーミングすることが行われる。その際、ある規格では、ＤＶＣは、パソコンが生成するＳＯＦ（Ｓｔａｒｔ  Ｏｆ  Ｆｒａｍｅ）を基準として、ＳＯＦ間（１ｍｓ）にサンプリングされたオーディオデータ（８サンプル）をまとめてパソコンに転送すると規定されている。
【０００３】
また、パソコンが生成するＳＯＦのベース周波数は１ＫＨｚであり、ＤＶＣのオーディオクロックのサンプリング周波数は８ＫＨｚである。この場合のＳＯＦとオーディオサンプリング周波数との関係を図６に示す。図６（１）はフレーム同期信号を示し、同（２）はＳＯＦを示し、同（３）はオーディオクロックを示す。図６に示すように、ＤＶＣにおけるオーディオデータ（８ＫＨｚ）をサンプリングするオーディオクロックとパソコンで生成されるＳＯＦ（１ＫＨｚ）の基準クロックには、誤差又はスキューがある。
【０００４】
この誤差が蓄積されると、音声データが適切にサンプリングされない、又は、パソコンに取り込まれない問題点があった。具体的には、オーディオデータをサンプリングするオーディオクロックが遅い場合、図７に示すように、１ＳＯＦ期間にサンプリングされるオーディオデータ数が７データ分しかないことが発生しうる。図７（１）はフレーム同期信号を示し、同（２）はＳＯＦを示し、同（３）はオーディオクロックを示す。逆に、オーディオクロックが速い場合、図８に示すように、１ＳＯＦ期間にサンプリングされるＡＵＤＩＯデータ数が９データ分になってしまうことがありうる。図８（１）はフレーム同期信号を示し、同（２）はＳＯＦを示し、同（３）はオーディオクロックを示す。
【０００５】
このような問題点を解決するために、図９に示すような構成のＤＶＣが提案された（特許文献１参照）。
【０００６】
２００は、マイクである。２１０は、マイク２００から入力されたアナログ音声信号をデジタルデータに変換するＡＤ変換器（ＡＤＣ）である。２２０は、ＡＤＣ２１０からのオーディオデータを記憶する音声メモリ。２３０は、パソコンと通信し、パソコンに音声データを転送するＵＳＢである。２４０は、全体を制御し、音声メモリ２１０からＵＳＢ２３０に音声データを転送するマイクロコンピュータ（マイコン）である。２５０はオーディオクロック発生装置である。２６０は、パソコンからＵＳＢ２３０を介して受信するＳＯＦをオーディオクロック発生装置２５０からのオーディオクロックの周期で計測するタイマである。２７０は、ＡＤＣ２１０から出力されるオーディオデータを音声メモリ２２０に書き込む場合に、ＡＤＣ２１０からのサンプリングタイミングに従い、音声メモリ２２０の書込みアドレスを発行するアドレス制御装置である。
【０００７】
ＡＤＣ２１０は、マイク２００から出力されるアナログ音声信号を、オーディオクロック発生装置２５０からのオーディオクロックに従いサンプリング及びアナログ／デジタル変換する。ＡＤＣ２１０は、出力音声データを音声メモリ２２０に印加すると共に、オーディオデータのサンプリングタイミング信号をアドレス制御装置２７０に印加する。アドレス制御装置２７０は、ＡＤＣ２１０からのサンプリングタイミング信号に従い、音声メモリ２２０の書込みアドレスを順次、更新し、これにより、ＡＤＣ２１０から出力される音声データが、順次、音声メモリ２２０に書き込まれる。
【０００８】
ＵＳＢ２３０は、パソコンから送信されたＳＯＦをタイマ２６０に印加し、且つ、割り込みとしてマイコン２４０に印加する。マイコン２４０は、この割込みで起動し、音声メモリ２２０に記憶されているオーディオデータの８サンプル分を読み出し、ＵＳＢ２３０を介してパソコンに転送する。タイマ２６０は、ＵＳＢ２３０からのＳＯＦの周期をオーディオクロック発生装置２５０からのオーディオクロックに従って計測する。タイマ２６０は、計測したＳＯＦ周期をマイコン２４０に送信する。マイコン２４０は、オーディオクロック発生装置２５０の発生するオーディオクロックと、パソコンからのＳＯＦ（より具体的には、パソコンでＳＯＦを発生する基準となる基準クロック）との間の誤差を検出し、この誤差が小さくなるように、オーディオクロック発生装置２５０を制御する。
【特許文献１】特開２０００−０２１０８１公報
【発明の開示】
【発明が解決しようとする課題】
【０００９】
特許文献１に記載の構成では、ＳＯＦを生成する基準クロックとオーディオクロックとの誤差を計測するためにタイマ２６０等のハードウエアを必要とする。
【００１０】
また、最近では、ＬＳＩなどの大規模化により、１つのＬＳＩに複数の機能を組み込んでいる。その場合、ＬＳＩの基準クロックは共通化されることが多い。オーディオクロックをＬＳＩの基準クロックから分周して生成している場合、オーディオクロックを帰還制御する為には、ＬＳＩの基準クロックを調整する必要があり、そうすると、他の機能に悪影響を及ぼすことが懸念される。
【００１１】
そこで、本発明は、タイマなどのハードウエアを必要とせずに音声データを送信できる音声送信方法及び装置を提示することを目的とする。
【課題を解決するための手段】
【００１２】
本発明に係る音声送信方法は、外部タイミング信号に応じて、所定量単位で入力音声を送信する音声送信方法であって、音声入力手段による入力音声データを音声メモリに一時記憶する音声記憶ステップと、当該外部タイミング信号に応じて、当該音声メモリに記憶される音声データ量を監視し、当該音声データ量が、当該音声メモリのアンダーフローに対応する第１の閾値より小さいか、当該音声メモリのオーバーフローに対応する第２の閾値より大きいか、第１の閾値と第２の閾値の間にあるかを判定するデータ量判定ステップと、当該外部タイミング信号に応じて、当該音声メモリに記憶される音声データの音量を検出し、実質的な無音部分か否かを判定する音量判定ステップと、当該音声メモリの記憶データが当該第１の閾値より少なく、且つ、当該音声メモリに記憶される音声データが無音である第１の場合に、当該音声メモリから当該所定量より少ない音声データを読み出し、当該所定量に不足するデータを補充して、送信装置に供給するステップと、当該音声メモリの記憶データが当該第２の閾値より多く、且つ、当該音声メモリに記憶される音声データが無音である第２の場合に、当該音声メモリから当該所定量より多い音声データを読み出し、その内の当該所定量の音声データを送信装置に供給するステップと、当該第１及び第２の場合を除く場合に、当該音声メモリから当該所定量より多い音声データを読み出し、その内の当該所定量の音声データを送信装置に供給するステップと、当該送信装置が、当該所定量単位で音声データを外部に送信するステップとを具備することを特徴とする。
【００１３】
本発明に係る音声送信装置は、音声入力手段と、当該音声入力手段により入力された音声データを一時記憶する音声メモリと、当該音声メモリに記憶される音声データ量を監視し、当該音声データ量が、当該音声メモリのアンダーフローに対応する第１の閾値より小さいか、当該音声メモリのオーバーフローに対応する第２の閾値より大きいか、第１の閾値と第２の閾値の間にあるかを判定するデータ量判定装置と、当該音声メモリに記憶される音声データの音量を検出し、実質的な無音部分か否かを判定する音量判定装置と、外部タイミング信号、当該データ量判定装置の判定結果及び当該音量判定装置の判定結果に従い、当該音声メモリからの当該音声データの読み出しを制御する制御装置と、当該音声メモリから読み出された当該音声データを、当該所定量を単位に外部に送信する送信装置とを具備する音声送信装置であって、当該制御装置が、当該音声メモリの記憶データが当該第１の閾値より少なく、且つ、当該音声メモリに記憶される音声データが無音である場合に、当該音声メモリから当該所定量より少ない音声データを読み出し、当該所定量に不足するデータを補充して、当該送信装置に供給し、当該音声メモリの記憶データが当該第２の閾値より多く、且つ、当該音声メモリに記憶される音声データが無音である場合に、当該音声メモリから当該所定量より多い音声データを読み出し、その内の当該所定量の音声データを当該送信装置に供給することを特徴とする。
【発明の効果】
【００１４】
本発明に係る送信装置によれば、タイマなどのハードウエアを必要とせずに、破綻なく音声データを送信できる。
【発明を実施するための最良の形態】
【００１５】
以下、図面を参照して、本発明の実施例を詳細に説明する。
【実施例１】
【００１６】
図１は、本発明の一実施例の概略構成ブロック図である。
【００１７】
１０は撮影レンズ、１２は、撮影レンズ１０による光学像を電気画像信号に返還する撮像素子、１４は撮像素子１２の出力画像信号をデジタル信号に変換し、γ補正及び色バランス調整等の周知のカメラ信号処理を施すカメラ信号処理装置、１６は、カメラ信号処理装置１４から出力される画像データを一時記憶する画像メモリである。
【００１８】
１８は音声入力手段としてのマイク、２０は、マイク１８から出力されるアナログ音声信号をデジタル音声データに変換するＡＤＣ、２２は、ＡＤＣ２０からの音声データを一時記憶する音声メモリ、２４は、音声メモリ２２の書込みアドレス及び読み出しアドレスを制御するアドレス制御装置であって、ＡＤＣ２０からのサンプリングタイミング信号に従い、音声メモリ２２の書込みアドレスを変更するアドレス制御装置である。
【００１９】
２６は、画像メモリ１６からの画像データ及び音声メモリ２２からの音声データを記録処理し、磁気テープ２８に所定のフォーマットで記録する記録処理装置である。
【００２０】
３０は、画像メモリ１６から読み出された画像データをＪＰＥＧ方式で圧縮するＪＰＥＧ圧縮装置、３２は、ＪＰＥＧ圧縮装置３０からの圧縮画像データを一時記憶する圧縮メモリである。
【００２１】
３４は、図示しないパソコンとＵＳＢケーブルで接続するＵＳＢインターフェイスである。本実施例では、ＵＳＢ３４を使って、ビデオデータとオーディオデータをパソコンに送信する。マイコン３６は、本実施例の全体を制御する。マイコン３６は特に、音声メモリ２２及び圧縮メモリ３２からＵＳＢ３４を介してパソコンにビデオデータ（圧縮画像データ）と音声データを送信する動作も制御する。３８はデータバスである。
【００２２】
図１に示す実施例の基本動作を説明する。撮像素子１２は、撮影レンズ１０による光学像を電気信号に変換し、カメラ信号処理装置１４は、撮像素子１２の出力画像信号にデジタル信号に変換し公知のカメラ信号処理を施して、画像メモリ１６に書き込む。
【００２３】
また、マイク１８は周囲の音声を取り込み、アナログ音声信号をＡＤＣ２０に印加する。ＡＤＣ２０は、マイク１８からのアナログ音声信号をデジタル化し、デジタル化された音声データを音声メモリ２２に書き込む。その際、アドレス制御装置２４は、ＡＤＣ２０からのサンプリングタイミング信号に従い音声メモリ２２の書込みアドレスを順次、変更する。
【００２４】
記録処理装置２６は、画像メモリ２２に記憶されている画像データ及び音声メモリ３０に記憶されている音声データを順次、読み出し、テープ記録フォーマットに変換して磁気テープ２８に記録する。図２は、磁気テープ２８の記録パターンを示す。磁気テープ２８には、１フレームの映像信号に対して、画像データを収容するＶｉｄｅｏエリアと、オーディオデータを収容するＡｕｄｉｏエリアと、その他の情報を収容するＳｕｂＣｏｄｅエリアがそれぞれ固定長で用意されている。Ａｕｄｉｏエリアには、映像信号の１フレーム期間に一定レートで取り込まれる音声データが書き込まれる。
【００２５】
次に、画像データ及び音声データのＵＳＢストリーミングを説明する。ＪＰＥＧ圧縮装置３０は、データ量を削減する為に、画像メモリ３０に記憶される画像データをフレーム単位でＪＰＥＧ方式により圧縮し、圧縮画像データ、即ちＪＰＥＧデータを圧縮メモリ３２に書き込む。マイコン３６は、図示しないパソコンからのＳＯＦに同期して、圧縮メモリ３２に記憶される圧縮画像データをフレーム単位で選択及び読み出し、ＵＳＢ３４を介して外部のパソコンに送信する。マイコン３６はまた、当該ＳＯＦに同期して、音声メモリ２２に記憶されている音声データから所定データ量を順次、読み出し、ＵＳＢ３４からパソコンに送信される。
【００２６】
図３は、音声メモリ２２のイメージ図を示す。音声メモリ２２はＲＡＭからなり、１データ毎にアドレッシングされ、リングバッファとして用いられる。ＡＤＣ２０でサンプリングされた音声データは、アドレス制御装置２４で生成された音声メモリ２２の書込みアドレスに書き込まれる。アドレス制御装置２４は、書き込む音声データごとに書込みアドレスをインクリメントし、現在の書込みアドレスをマイコン３６に通知する。音声メモリ２２からのデータ読出しは、マイコン３６により制御され、ＳＯＦ単位に規定のデータ数分が読み出される。即ち、マイコン３６が、音声メモリ２２の読出しアドレスを管理する。
【００２７】
図４は、マイコン３６による音声データのＵＳＢストリーミング処理のフローチャートである。
【００２８】
まず、パソコンからのＳＯＦの信号に同期して、マイコン３６に割込みが発生する（Ｓ１）。マイコン３６は、割込み処理後、アドレス制御装置２４から書込みアドレスを取得し、マイコン３６で管理している読出しアドレスとの差分Δｎを求める（Ｓ２）。書込みアドレスと読出しアドレスの差分Δｎを第１の閾値ＴｈＬと比較し、Δｎ＜ＴｈＬが成立するか否かを判別する（Ｓ３）。
【００２９】
オーディオクロックでサンプリングされる音声データの書き込みに対して、パソコンからのＳＯＦの周期が短い場合、音声メモリ２２は、データ不足、即ち、読出しアドレスが書込みアドレスを追い越すアンダーフローを起こす可能性がある。第１の閾値ＴｈＬは、このアンダーフローを事前に検知する値に設定される。逆に、オーディオクロックでサンプリングされる音声データの書き込みに対して、パソコンからのＳＯＦの周期が長い場合、音声メモリ２２は、データの重ね書き、即ち、書込みアドレスが読出しアドレスを追い越すオーバーフローを起こす。第２の閾値ＴｈＨは、このオーバーフローを事前に検知する値に設定される。従って、ＴｈＬ＜ＴｈＨであり、差Δｎが、閾値ＴｈＬとＴｈＨの間にあるとき、送信音声データの欠落無しで、マイク１８の入力音声をパソコンに送信できることになる。
【００３０】
Δｎ＜ＴｈＬの場合（Ｓ３）、音声メモリ２２はアンダーフローを起こす可能性があるので、音声メモリ２２からの読み出しデータ数を減らす。単に減らすと音質に影響するので、無音部分を選択して、音声メモリ２２からの読み出しデータ数を減らす。そのために、先ず、音声メモリ２２に記憶される音声データが無音に近いかどうかを判定する（Ｓ４，Ｓ５）。具体的には、マイコン３６は、音声メモリ２２に記憶される音声データの音声レベルＡ０を検出し、当該音声レベルＡ０を変数Ａ＿ＤＡＴＡに取り込む（Ｓ４）。音声レベルを示す変数Ａ＿ＤＡＴＡと無音判定の閾値Ｔｈ＿Ａ＿Ｌｏｗとを比較し、Ａ＿ＤＡＴＡ＜Ｔｈ＿Ａ＿Ｌｏｗが成立するか否かを判別する（Ｓ５）。閾値Ｔｈ＿Ａ＿Ｌｏｗは、音声レベル（音量）が無音にごく近い音量に設定される。
【００３１】
Ａ＿ＤＡＴＡ＜Ｔｈ＿Ａ＿Ｌｏｗの場合（Ｓ５）、音声メモリ２２の読み出し対象の音声データは、無音である。この場合、マイコン３６は、音声メモリ２２から７データ分を取り出してＵＳＢ３４に転送し、その７データ分の最後の１データをＵＳＢ３４に再転送する（Ｓ６）。これにより、８データ分の音声データがＵＳＢ３４に転送されたことになる。ＵＳＢ３４は、転送された８データ分の音声データをパソコンに送信する。
【００３２】
Ａ＿ＤＡＴＡ＜Ｔｈ＿Ａ＿Ｌｏｗでない場合（Ｓ５）、無音部分でないので、マイコン３６は、通常通り、音声メモリ２２から８データ分を取り出してＵＳＢ３４に転送する（Ｓ７）。ＵＳＢ３４は、転送された８データ分の音声データをパソコンに送信する。
【００３３】
ΔｎがＴｈＬ以上の場合（Ｓ３）、Δｎが第２の閾値ＴｈＨより大きいかどうかを判定する（Ｓ８）。ΔｎがＴｈＨより大きいと、上述したように、音声メモリ２２がオーバーフローを起こす可能性があるので、音声メモリ２２から多めにデータを読み出し、その一部を破棄すればよい。そのようなデータは、アンダーフローの場合と同様に、無音部分である。そこで、ここでも、音声メモリ２２に記憶される音声データが無音に近いかどうかを判定する（Ｓ９，Ｓ１０）。具体的には、マイコン３６は、音声メモリ２２に記憶される音声データの音声レベルＡ０を検出し、当該音声レベルＡ０を変数Ａ＿ＤＡＴＡに取り込む（Ｓ９）。音声レベルを示す変数Ａ＿ＤＡＴＡと無音判定の閾値Ｔｈ＿Ａ＿Ｌｏｗとを比較し、Ａ＿ＤＡＴＡ＜Ｔｈ＿Ａ＿Ｌｏｗが成立するか否かを判別する（Ｓ１０）。
【００３４】
Ａ＿ＤＡＴＡ＜Ｔｈ＿Ａ＿Ｌｏｗの場合（Ｓ１０）、音声メモリ２２の読み出し対象の音声データは、無音である。この場合、マイコン３６は、音声メモリ２２から通常より多い９データ分を取り出し、その内の８データ分をＵＳＢ３４に転送する（Ｓ１１）。即ち、１データ分を破棄する。ＵＳＢ３４は、転送された８データ分の音声データをパソコンに送信する。
【００３５】
Ａ＿ＤＡＴＡ＜Ｔｈ＿Ａ＿Ｌｏｗでない場合（Ｓ１０）、無音部分でないので、マイコン３６は、通常通り、音声メモリ２２から８データ分を取り出してＵＳＢ３４に転送する（Ｓ７）。ＵＳＢ３４は、転送された８データ分の音声データをパソコンに送信する。
【００３６】
ΔｎがＴｈＨ以下の場合（Ｓ８）、結局、アドレスの差分Δｎは、ＴｈＬ以上で、ＴｈＨ以下であることになる。この場合、音声データのサンプリングクロックとパソコンからのＳＯＦとの間のスキューが無視できるほどに小さいことになる。通常通り、マイコン３６は、音声メモリ２２から８データ分を取り出してＵＳＢ３４に転送する（Ｓ７）。ＵＳＢ３４は、転送された８データ分の音声データをパソコンに送信する。
【００３７】
このようにして、ＵＳＢ３４は、図示しないパソコンからのＳＯＦに従い、８データ分の音声データをパソコンに送信する。タイマは不要である。
【００３８】
磁気テープ２８への記録と、図示しないパソコンへのストリーミングを別々の動作として説明したが、これは各動作の理解を容易にするためである。磁気テープ２８への記録と、図示しないパソコンへのストリーミングを同時に実行する場合でも、上述の作用効果を得ることができることは明らかである。
【図面の簡単な説明】
【００３９】
【図１】本発明の一実施例の概略構成ブロック図である。
【図２】ＤＶＣのテープ記録パターンの模式図である。
【図３】音声メモリ２２のイメージ図である。
【図４】本実施例の動作フローチャート。
【図５】ＵＳＢストーミング時のＤＶＣとパソコンとの接続図である。
【図６】オーディオクロックとＳＯＦとの関係を示すタイミングチャートである。
【図７】ＳＯＦ周期が短い場合の、オーディオクロックとＳＯＦとの関係を示すタイミングチャートである。
【図８】ＳＯＦ周期が長い場合の、オーディオクロックとＳＯＦとの関係を示すタイミングチャートである。
【図９】従来のＤＶＣの概略構成ブロック図である。
【符号の説明】
【００４０】
１０：レンズ
１２：撮像素子
１４：カメラ信号処理装置
１６：画像メモリ
１８：マイク
２０：ＡＤＣ
２２：音声メモリ
２４：アドレス制御装置
２６：記録処理装置
２８：磁気テープ
３０：ＪＰＥＧ圧縮装置
３２：圧縮メモリ
３４：ＵＳＢ
３６：マイコン
【図１】
2006190130.tif 000003
【図２】
2006190130.tif 000004
【図３】
2006190130.tif 000005
【図４】
2006190130.tif 000006
【図５】
2006190130.tif 000007
【図６】
2006190130.tif 000008
【図７】
2006190130.tif 000009
【図８】
2006190130.tif 000010
【図９】
2006190130.tif 000011